(57)【要約】【課題】照明方向の端部が明るく、かつ、外側から見た場合にランプの陰影が目立たないシェードを備える照明器具を提供する。【解決手段】照明器具は、光源３とシェード４１，４２とを備えている。光源３は、本体２に保持されている。シェード４１，４２は、光源３を囲ってこの光源３の照明方向に沿う筒状に透光性の光拡散部材で形成された外周壁４１１，４２１を有している。この外周壁４１１，４２１の厚みｔ１，ｔ２は、照明方向に沿って光源３から離れた縁部４１５，４２５に向かうにしたがって徐々に薄くなっている。【選択図】      図１
2008204820.tif 000002
【特許請求の範囲】
【請求項１】
本体に保持された光源と；
前記光源を囲ってこの光源の照明方向に沿う筒状に透光性の光拡散部材で形成された外周壁を有し、この外周壁の厚みが前記照明方向に沿って前記光源から離れた縁部に向かうにしたがって徐々に薄くなるシェードと；
を備えることを特徴とする照明器具。
【請求項２】
前記シェードの前記外周壁は光透過度が均質であって、この外周壁の厚みは、前記本体に固定されている側から前記縁部に向かうにしたがって、前記外周壁の外表面における輝度が高くなる程度に、前記照明方向に向かって徐々に薄くなっていることを特徴とする請求項１に記載の照明器具。
【請求項３】
前記シェードの前記外周壁は光透過度が均質であって、前記外周壁から前記光源に向かって延びる垂線に対して前記外周壁が前記照明方向に前記光源よりも長く設けられている場合、前記光源から前記外周壁上の第１の位置までの距離をＬ１、前記第１の位置に向かって前記光源から照射される光が前記垂線に対して成す角度をθ１、前記第１の位置における前記外周壁の厚みをｔ１、前記光源から前記外周壁上の第２の位置までの距離をＬ２、前記第２の位置に向かって前記光源から照射される光が前記垂線に対して成す角度をθ２、前記第２の位置における前記外周壁の厚みをｔ２とし、θ１＜θ２であるとき、前記シェードの外周壁の厚みは、次式：
【数１】
2008204820.tif 000010
の関係を満たすことを特徴とする請求項１または請求項２に記載の照明器具。
【請求項４】
前記シェードは、前記照明方向に沿って延びる凸部を内周面に沿って多数有していることを特徴とする請求項１から請求項３のいずれか１項に記載の照明器具。
【請求項５】
前記シェードは、前記照明方向に対して前記光源の外周を二重に間隔を空けて囲う内側シェードと外側シェードとを有することを特徴とする請求項１から請求項４のいずれか１項に記載の照明器具。
【請求項６】
前記外側シェードは、内側シェードと異なる色に着色された光拡散部材で形成されることを特徴とする請求項５に記載の照明器具。
【発明の詳細な説明】
【技術分野】
【０００１】
本発明は、光源を囲うシェードの外面における輝度にグラデーションを設けた照明器具に関する。
【背景技術】
【０００２】
環状の蛍光ランプを備えるペンダント形の照明器具が特許文献１に示されている。照明器具は、蛍光ランプを上側から覆うドーム形のシェードを有している。このシェードは、上端部の透光度よりも大きい透光度を有した透光度調整部を下端部に備えている。これによって、高輝度の蛍光ランプを使用した場合に、シェードの下縁が室内の壁に投影されることによって作られる影を目立たないようにしている。
【特許文献１】特開平１１−７８１４号公報
【発明の開示】
【発明が解決しようとする課題】
【０００３】
しかしながら、特許文献１に記載の照明器具は、蛍光ランプの外周にかぶさるシェードによって、室内の壁面に投影される影を目立たなくするための技術であり、その解決策として、ランプシェードの光透過度を大きくしている。そのため、光源として蛍光ランプを使用すると、シェードの外側から口金部分が見えてしまい、意匠性の面で見栄えを損なうおそれがあるという課題がある。特に、細径の蛍光ランプは、全光束が多いので、発光部である発行管部と非発光部である口金部との明暗がはっきりしてしまう。
【０００４】
そこで、本発明は、照明方向の端部が明るく、かつ、外側から見た場合にランプの陰影が目立たないシェードを備える照明器具を提供する。
【課題を解決するための手段】
【０００５】
請求項１の発明の照明器具は、本体に保持された光源と；光源を囲ってこの光源の照明方向に沿う筒状に透光性の光拡散部材で形成された外周壁を有しこの外周壁の厚みが照明方向に沿って光源から離れた縁部に向かうにしたがって徐々に薄くなるシェードと；を備えている。
【０００６】
本発明および以下の各発明において、特に指定しない限り用語の定義および技術的な意味は次による。
【０００７】
照明器具とは、天井などの取付面から本体が垂下されて照明空間に宙吊り状態で使用される吊下げ形、天井などの取付面に本体が直接取り付けられる直付け形、側壁に設けられた取付面に本体が固定されるブラケット形、および支柱によって本体が支持されるスタンド形のいずれのタイプも含む。吊下げ形照明器具を垂下する手段は、電気コード、チェーンまたはパイプなどのいずれでもよい。
【０００８】
照明器具の本体は、光源を保持する機能と光源に電力を供給する機能とを少なくとも有している。光源は、電球、直管状蛍光ランプ、環状蛍光ランプ、電球形蛍光ランプ、冷陰極蛍光ランプ、高周波点灯形蛍光ランプ、発光ダイオードなどのいずれかを単独であるいは組み合わせて適用することができる。また、本体は、高周波点灯装置、リモートコントロール受信装置などを内蔵することもできる。高周波点灯装置やリモートコントロール受信装置は、吊下げ形の照明器具では天井と本体との間に、ブラケット形の照明器具では本体が取り付けられるブラケットに、スタンド形の照明器具の場合では本体を支持する支柱に配置することもできる。高周波点灯装置に調光機能を付加することもできる。
【０００９】
照明方向とは、照明空間においてその照明器具の光源から放射される光が最も多く射出される方向であって、光源から照明器具のシェードが開放されている側に向かう方向をいう。なお、「徐々に薄くなる」とは、連続的に厚みが変化することも含むし、段階的に厚みが変化することも含むものである。
【００１０】
本発明において、シェードが照明方向に沿う筒状に光拡散部材によって形成された外周壁を有しており、この外周壁の厚みが照明方向に沿って光源から離れた縁部に向かうにしたがって徐々に薄くなっている。
【００１１】
シェードを透過する光量は、照明方向に沿って光源から離れるにしたがって増大するので、シェードの外周壁の外面は、照明方向に沿って光源から離れるにしたがって徐々に明るくなる。したがって、表情豊かな空間を創造することができる。また、シェードが光拡散部材によって形成されているので、シェードの外側から見た場合に光源の陰影をぼかすことができる。
【００１２】
請求項２の発明の照明器具は、請求項１に記載の照明器具において、シェードの外周壁は光透過度が均質であって、この外周壁の厚みを、本体に固定されている側から縁部に向かうにしたがって、外周壁の外表面における輝度が高くなる程度に、照明方向に向かって徐々に薄くする。
【００１３】
本発明は、シェードの外周壁の外面の輝度を基にこの外周壁の厚みを規定するものであって、照明方向側のシェードの縁部が確実に明るくなるようにしている。
【００１４】
請求項３の発明の照明器具は、請求項１に記載の照明器具において、シェードの外周壁の光透過度が均質であって、シェードの外周部外周壁から光源に向かって延びる垂線に対して外周壁が照明方向に光源よりも長く設けられている場合、光源から外周壁上の第１の位置までの距離をＬ１、第１の位置に向かって光源から照射される光が垂線に対して成す角度をθ１、第１の位置における外周壁の厚みをｔ１、光源から外周壁上の第２の位置までの距離をＬ２、第２の位置に向かって光源から照射される光が垂線に対して成す角度をθ２、第２の位置における外周壁の厚みをｔ２とし、θ１＜θ２であるとき、シェードの外周壁の厚みは、次式：
【数２】
2008204820.tif 000003
【００１５】
の関係を満たす。この関係式は、θ１＜θ２の場合、つまり、第１の位置よりも第２の位置のほうが光源から遠い場合を想定しており、光源から発せられる光度をＩ、光源に面した外周壁の内面における第１の位置の照度をＥ１、同じく第２の位置の照度をＥ２とすると、第１の位置における照度Ｅ１および第２の位置における照度Ｅ２は、それぞれ次式で表される。
【数３】
2008204820.tif 000004
【００１６】
また、第１の位置および第２の位置における光の透過距離は、それぞれｔ１／cosθ１、ｔ２／cosθ２であるので、シェードの外周壁の光透過度が均質であるので、シェードによる光の減衰率をρとすると、外周壁の第１の位置および第２の位置の外表面における輝度Ｖ１，Ｖ２は、次式で表される。
【数４】
2008204820.tif 000005
【００１７】
ここで、シェードの縁部に向かって徐々に明るくなる、つまり、第２の位置のほうが第１の位置よりも明るいので、Ｖ２＞Ｖ１として計算すると以下のように上述した関係式を得る。
【数５】
2008204820.tif 000006
【００１８】
この発明は、シェードの外周壁の厚みについて光源との相対距離を基に規定するものであって、光源から離れるにしたがってシェードの外周壁の外面の輝度が増す条件を明らかにしている。
【００１９】
請求項４の発明の照明器具は、請求項１に記載の照明器具において、照明方向に沿って延びる凸部をシェードの内周面に沿って多数有している。凸部とは、周囲の部分よりも隆起した直線状に延びる一筋の突起である。凸部の頂部および基部は、なだらかに丸められていてもよいし、角張っていてもよい。本発明では、この凸部を周方向に複数本等間隔に並べて配置している。本発明は、シェードの外周壁のシェードの外周壁の厚みが周方向に沿って規則的に変化しており、外周壁の外面において、照明方向に沿って明部と暗部を作り出す。
【００２０】
凸部の高さが一定であると、シェードの外周壁の厚みがなだらかに変化していることにあいまって、光源から離れた縁部のほうが外周壁の厚みにおける凸部の高さ寸法の比率が増すので、外周壁の外面における輝度の変化として徐々に現れてくる。シェードを外側から見たときの印象が変わるだけでなく、シェードの外周壁が薄くなった部分の補強にもなる。凸部の代わりに、文字や図柄を設けることも実施可能である。
【００２１】
請求項５の発明の照明器具は、請求項１に記載の照明器具において、シェードが、照明方向に対して光源の外周を二重に間隔を空けて囲う内側シェードと外側シェードとを有している。本発明は、照明器具の光源として高輝度の光源を適用する場合、シェードの外周壁の厚みを大きくすることなく、照明器具の外側から眺めた場合における光源の陰影をぼかすことができる。また、内側シェードを透過した光をさらに外側シェードによってグラデーションを設けて照明することができるので、明かりによる多彩な表現ができるようになる。この場合の内側シェードおよび外側シェードは、さらに上述の請求項２から請求項４までのシェードの機能をそれぞれ兼ね備えてもよい。本発明では、シェードを二重に構成していることに対して、三重以上に構成してもよい。
【００２２】
請求項６の発明の照明器具は、請求項５に記載の照明器具において、外側シェードを内側シェードと異なる色に着色した光拡散部材で形成している。本発明は、シェードの色を規定するものであり、異なる色に着色されたものと交換することで、意匠的な表現を多彩に増やすことができる。
【発明の効果】
【００２３】
請求項１の発明によれば、光拡散部材で形成されたシェードが照明方向に対して光源を囲う筒状の外周壁を有しており、照明方向に光源から離れるにつれてこの外周壁の厚みが薄く形成されているので、シェードの外周壁に沿って照明方向に向かうにしたがって光源から離れた縁部が暗くなりにくい。したがって、傍らからシェードを見た場合に照明方向に向かって明るくなる印象を与えるとともに、ランプの外観上の陰影を目立たなくさせることができる照明器具を提供できる。
【００２４】
請求項２および請求項３の発明によれば、照明方向に光源から離れたシェードの外周壁の縁部のほうが光源に近い部分に比べて明るい照明器具を提供できる。
【００２５】
請求項４の発明によれば、シェードの外周壁の外面に光の明暗による意匠的な陰影を設けることができ、かつ、シェードの重量を増すことなく外周壁の補強が施された照明器具を提供できる。
【００２６】
請求項５の発明によれば、照明方向に対して光源の外周を二重に囲う内側シェードと外側シェードを備える照明器具を提供できる。
【００２７】
請求項６の発明によれば、外側シェードが内側シェードの色と異なる色に着色された光拡散部材で形成されているので、請求項５の発明に加えて意匠的に外観の多様性を有した照明器具を提供できる。
【発明を実施するための最良の形態】
【００２８】
本発明に係る一実施形態の照明器具１は、図１から図４を参照して説明する。図１に示す照明器具１は、天井１００に設けられる引掛けシーリングから電気コード２１で垂下された吊下げ形である。照明器具１は、本体２と内側蛍光ランプ３１と外側蛍光ランプ３２と内側シェード４１と外側シェード４２とを備えている。
【００２９】
本体２は、内側蛍光ランプ３１および外側蛍光ランプ３２をそれぞれ点灯させるためのインバータや高周波点灯装置などを内蔵している。内側蛍光ランプ３１および外側蛍光ランプ３２は、光源３の一例であって、円環状に形成されており、図２に示すように本体２の３箇所に設けられたホルダ２２によって、図１に示すようにそれぞれほぼ同じ面内に保持されている。
【００３０】
内側シェード４１と外側シェード４２は、図１に示すように内側蛍光ランプ３１および外側蛍光ランプ３２の照明方向に対して外周を囲うシェードであって、互いに間隔を空けて二重に構成されている。内側シェード４１および外側シェード４２は、光拡散部材で作られており、内側シェード４１は、乳白色に、外側シェード４２は、内側シェードと異なる色に、例えば水色に、着色されている。
【００３１】
内側シェード４１は、図３に示すように外周壁４１１とフランジ４１２と輪郭４１３とを備えている。外周壁４１１は、照明方向に沿って筒状に形成されている。フランジ４１２は、外周壁４１１から照明方向を横切る内側に延びて上方から本体２に係合する。輪郭４１３は、外周壁４１１に沿って照明方向と反対側にフランジ４１２を越えて上方へ突出している。さらに内側シェード４１の外周壁４１１は、図４に示すように、内面に凸部４１４を多数有している。この凸部４１４は、照明方向に沿って直線状に形成され、周方向へ一定の間隔で配置されている。
【００３２】
外側シェード４２は、図３に示すように外周壁４２１とフランジ４２２と輪郭４２３とを備えている。外周壁４２１は、照明方向に沿って筒状に形成されている。フランジ４２２は、外周壁４２１から照明方向を横切る内側に延び、図２および図３に示すように上方から内側シェード４１のフランジ４１２に係合する。輪郭４２３は、外周壁４２１に沿って証明方向と反対側にフランジ４２２を越えて上方へ突出している。
【００３３】
内側シェード４１の外周壁４１１および外側シェード４２の外周壁４２１は、それぞれ照明方向に沿ってフランジ４１２，４２２側から内側蛍光ランプ３１および外側蛍光ランプ３２から離れた縁部４１５，４２５に向かって、厚みが徐々に薄く形成されている。内側シェード４１の外周壁４１１は、照明方向に沿って外側蛍光ランプ３２よりも長く延びている。外側シェード４２の外周壁４２１は、照明方向に沿って外側蛍光ランプ３２の下端とほぼ面一の位置まで延びている。
【００３４】
内側シェード４１及び外側シェード４２は、それぞれ光拡散部材で形成されているので、内側蛍光ランプ３１及び外側蛍光ランプ３２から発せられた光が外側まで透過し、二次的に発光する。このとき、それぞれの外周壁４１１，４２１の厚みは、縁部４１５，４２５に向かうにしたがって外周壁４１１，４２１の外表面における輝度が高くなる程度に薄くなっている。
【００３５】
内側蛍光ランプ３１および外側蛍光ランプ３２から射出された内側シェード４１の外周壁４１１に入射する光量は、距離の二乗に反比例する。そこで、外周壁４１１，４２１の光透過度が均質であって、外側蛍光ランプ３２よりも離れた縁部４１５における外表面の輝度が大きくなる条件を満たす寸法比率について、外側蛍光ランプ３２のガラス管の中心Ｐを点光源とみなして以下に概算する。
【００３６】
図３に示すように、内側シェード４１の外周壁４１１から光源である外側蛍光ランプ３２のガラス管の中心Ｐに向かって延びる垂線をＨ、中心Ｐから外周壁４１１上の第１の位置Ｓ１までの距離をＬ１、第１の位置Ｓ１に向かって中心Ｐから照射される光が垂線Ｈに対して成す角度をθ１、第１の位置Ｓ１における外周壁４１１の厚みをｔ１、中心Ｐから外周壁４１１上の第２の位置Ｓ２までの距離をＬ２、第２の位置Ｓ２に向かって中心Ｐから照射される光が垂線Ｈに対して成す角度をθ２、第２の位置Ｓ２における外周壁４２１の厚みをｔ２とし、第１の位置Ｓ１よりも第２の位置Ｓ２のほうが中心Ｐから遠い場合、つまり、θ１＜θ２の場合を想定する。さらに、中心Ｐから発せられる光度をＩ、外側蛍光ランプ３２に面した外周壁４１１の内面における第１の位置Ｓ１の照度をＥ１、同じく第２の位置Ｓ２の照度をＥ２とする。
【００３７】
第１の位置Ｓ１における照度Ｅ１および第２の位置Ｓ２における照度Ｅ２は、それぞれ次式で表される。
【数６】
2008204820.tif 000007
【００３８】
また、第１の位置Ｓ１および第２の位置Ｓ２における光の透過距離は、それぞれｔ１／cosθ１、ｔ２／cosθ２である。内側シェード４１による光の減衰率をρとすると、外周壁の第１の位置Ｓ１および第２の位置Ｓ２の外表面における輝度Ｖ１，Ｖ２は、次式で表される。
【数７】
2008204820.tif 000008
【００３９】
ここで、内側シェード４１の縁部４１５のほうが明るい、つまり、第２の位置Ｓ２のほうが第１の位置Ｓ１よりも明るいので、Ｖ２＞Ｖ１として計算すると以下のような結果を得る。
【数８】
2008204820.tif 000009
【００４０】
以上の式によって関係付けられるｔ１およびｔ２となるように内側シェード４１の外周壁４１１の厚みを決定することによって、縁部４１５の輝度は、外側蛍光ランプ３２に近い位置よりも明るくなる。以上の関係式は、外側シェード４２にも適用できる。
【００４１】
照明器具１は、内側シェード４１の外周壁４１１の内面に図４に示す凸部４１４を備えている。これによって、内側シェード４１は、外周壁４１１の外表面に照明方向に延びる明暗の陰影を浮かび上がらせることができる。特に、外周壁４１１の厚みが縁部４１５に向かうにつれて薄く形成されているので、縁部４１５における凸部４１４の厚みに対する寸法比率が増大する。したがって、縁部４１５側のほうがその陰影の濃淡がはっきりとする。
【００４２】
また、シェードである内側シェード４１および外側シェード４２がそれぞれ光拡散部材で作られていることによって、外周壁４１１，４２１の厚みを薄くしても、内側シェード４１の外から見て外側蛍光ランプ３２の口金３２１を目立たせないことと、内側シェード４１の外周壁４１１を明るくすることとを両立させている。
【００４３】
本実施形態においては、光源３として円環状の内側蛍光ランプ３１と外側蛍光ランプ３２とを二重に配置している。本発明を構成する上で、円環状の蛍光ランプが１つであってもよいし、角形の環状の蛍光ランプであってもよい。角形の蛍光ランプを用いる場合は、シェードもその蛍光ランプの外形に合わせて角形にすることも好ましい。
【図面の簡単な説明】
【００４４】
【図１】本発明に係る一実施形態の照明器具を一部切り欠いて断面を示す正面図。
【図２】図１に示した照明器具を下から仰ぎ見た分解斜視図。
【図３】図１中のＦ３で示した部分を拡大した照明器具の断面図。
【図４】図１に示した照明器具のシェードの外周壁の一部を拡大した斜視図。
【符号の説明】
【００４５】
１…照明器具、２…本体、３１…内側蛍光ランプ（光源）、３２…外側蛍光ランプ（光源）、４１…内側シェード（シェード）、４２…外側シェード（シェード）、４１１，４２１…外周壁、４１２，４２２…フランジ、４１３，４２３…輪郭、４１４…凸部、４１５，４２５…縁部、Ｓ１…第１の位置、Ｓ２…第２の位置、Ｌ１…外側蛍光ランプのガラス管の中心（光源）から第１の位置までの距離、Ｌ２…外側蛍光ランプのガラス管の中心（光源）から第２の位置までの距離。ｔ１…第１の位置の外周壁の厚み、ｔ２…第２の位置の外周壁の厚み、θ１…外周壁から外側蛍光ランプのガラス管の中心（光源）に延びる垂線と第１の位置に照射される光とが成す角度、θ２…外周壁から外側蛍光ランプのガラス管の中心（光源）に延びる垂線と第２の位置に照明される光とが成す角度。
【図１】
2008204820.tif 000011
【図２】
2008204820.tif 000012
【図３】
2008204820.tif 000013
【図４】
2008204820.tif 000014